(57)【要約】【課題】配管仮止め作業や、配管仮止め後の位置調整作業が容易になる配管固定具用支持材を提供する。【解決手段】配管固定具Ｑを固定する合成樹脂製の支持材１を設ける。支持材１にリップ溝形鋼の形状を成したリップ部２と開口部３とを形成する。左右の側板４と底板５と端面板６とで支持材１を形成する。各リップ部２に近接する各側板４の内側面に仮止凸部７を突設する。リップ部２に係止したフック部Ｑ３の外側縁に仮止凸部７を圧接する。仮止凸部７とリップ部２とで弾性挟持板Ｑ１を揺動自在に保持する。一対の弾性挟持板Ｑ１間に配した配管Ｐを弾性挟持板Ｑ１で仮止め固定する。【選択図】  図１
2020118171.tif 000002
【特許請求の範囲】
【請求項１】
配管を挟持する一対の弾性挟持板の上端部相互に連結自在な連結部を備えると共に、各弾性挟持板の下端部に一対のフック部を備えた配管固定具を装着して固定する支持材であって、
該支持材は、リップ溝形鋼の形状を成したリップ部と開口部とを備え、各リップ部の長手方向に沿った左右の側板と各側板に連続する底板とで形成され、
各リップ部に近接する各側板の内側面に仮止凸部を突設し、リップ部に配管固定具を下から係止すると該フック部の外側縁に仮止凸部が圧接し、該仮止凸部とリップ部とで弾性挟持板を揺動自在に保持するように設け、
保持された一対の弾性挟持板間に配した配管を揺動する弾性挟持板で仮止めできるように構成したことを特徴とする配管固定具用支持材。
【請求項２】
前記仮止凸部は、前記リップ部と前記側板の内側面との境界部分に沿って帯状に突設され、仮止凸部が次第に肉薄になるテーパー面を前記仮止凸部の下端部に沿って形成した請求項１記載の配管固定具用支持材。
【請求項３】
前記底板の両端部から前記開口部方向に立設された端面板を設け、該端面板に凹凸形状の連結部が形成され、該連結部で複数の前記支持材が長手方向に連結されるように構成した請求項１記載の配管固定具用支持材。
【請求項４】
前記底板に固定ネジを挿通する挿通口が形成され、該挿通口に挿入した固定ネジにて前記支持材を配管固定位置に固定するように構成した請求項１記載の配管固定具用支持材。
【請求項５】
前記底板から前記開口部方向に立設された端面板を設け、該端面板の前記底板側に連結用のバンドを挿通する挿通口が形成され、該挿通口に挿入したバンドで前記支持材を配管固定位置に固定するように構成した請求項１記載の配管固定具用支持材。
【請求項６】
前記リップ部下面にローレット状の滑止部を形成し、前記フック部固定時に該滑止部に接触した状態で固定されるように構成した請求項１記載の配管固定具用支持材。
【請求項７】
前記支持材の両端部に前記リップ部の端部側を閉塞する端面板を設け、前記フック部が前記リップ部に沿って移動すると端面板に当接するように構成した請求項１記載の配管固定具用支持材。
【発明の詳細な説明】
【技術分野】
【０００１】
本発明は、電線管等の配管類を挟着保持する配管固定具を使用して、配管を建物の天井面や壁面等の装着位置に固定する際に、予め装着位置に固定しておき配管固定具を連結する支持材として使用する配管固定具用支持材に関するものである。
【背景技術】
【０００２】
配管類を挟着保持する配管固定具として、一対の湾曲した弾性挟持板で電線管等を挟持する配管固定具がある。この配管固定具は、天井面や壁面等の配管の装着位置に予め固定された支持材に連結することで配管を固定する構造である。一方、この配管固定具を連結する支持材の多くは、リップ溝形鋼状を成したチャンネル材が使用されている(特許文献１)。
【０００３】
従来の配管固定具は帯状鋼板で形成されていた。そのため、チャンネル材の支持材に金属製の配管固定具を連結すると、この配管固定具に外力が作用した場合に配管固定具が長手方向にずれるおそれがあるとの理由から、合成樹脂製の配管固定具が提案されている(特許文献２)。
【０００４】
この特許文献２の配管固定具は、これまでの一対の弾性挟持板を合成樹脂材で一体物として形成した。そして、支持材に使用するチャンネル材のリップ部を挟持する係合爪なる部位を形成し、この係合爪をリップ部に圧接することで配管固定具の位置ずれを防止する構成である。更に、配管固定具の上部には互いに係合する一対の把持部が形成され、各把持部に設けられた係止歯列を互いに係合することで配管を保持するように構成している。
【０００５】
ところが、この合成樹脂製の配管固定具では、配管を把持部で仮止めした場合でも、係合爪なる部位がリップ部に圧接した状態になっている。そのため、仮止めした配管の位置を支持材に沿って調整する際に、この係合爪が配管固定具の移動の妨げになり、配管の位置を調整する作業が極めて困難になる虞があった。
【０００６】
そこで、配管を仮止めした状態でも位置調整を容易に行える配管固定具が提案された(特許文献３)。この配管固定具は、配管を挟持する従来型の弾性挟持板を合成樹脂材で形成して一対の配管固定部材を設けた。そして、各配管固定部材の上端部相互に設けた係合部を仮止め状態で係合できるように構成し、この仮止め状態での位置調整を容易にしたものである。
【０００７】
すなわち、これら一対の配管固定部材は、上端部相互に設けた係止歯列状の係合部が配管の上部で係合自在に連結される。一方、配管固定部材の各下端部は、リップ部に下から係止するフック形状を成している。そのため、上部の係合部で配管を仮止めしても、配管固定部材の下端部は支持材に沿って移動可能になるので、配管を仮止めした状態での位置調整を極めて容易に行える構成になっている。
【先行技術文献】
【特許文献】
【０００８】
【特許文献１】実開平３−４６０８４号公報
【特許文献２】特開２００８−２９８１５３号公報
【特許文献３】特許第５８３９８７９号公報
【発明の概要】
【発明が解決しようとする課題】
【０００９】
特許文献３に記載の配管固定具は、配管を仮止めした状態にすると支持材上での位置調整を容易にすることができる。
【００１０】
ところが、この配管固定具は、配管を仮止めする作業自体に課題を残していた。それは、配管固定部材を支持材のリップ部に下から係止する構造のため、リップ部の上で配管を仮止めするまで、配管固定部材のみを支持材に仮止めすることはできない。そのため、配管を仮止めする作業は、作業員が一対の配管固定部材を保持しながら作業を行う必要があった。
【００１１】
すなわち、この仮止め作業は、作業員が手に持っている２本の配管固定部材をリップ部の下から係止し、この状態を保ちながら支持材に配置した配管の上部で一対の配管固定部材相互の係合部を係合して仮止めする作業になる。したがって、配管の仮止め作業自体に多くの手間を要するものであった。
【００１２】
このように、特許文献２の配管固定具では仮止め後の位置調整に課題があり、特許文献３の配管固定具では仮止め作業自体に課題があった。したがって、天井面や壁面等に固定した支持材に配管を固定する作業は、現在でも極めて手間のかかる作業になっている。
【００１３】
そこで本発明は上述の課題を解消すべく創出されたもので、配管の仮止め作業はもとより、仮止め後の位置調整作業も容易に行える支持材として使用することができる配管固定具用支持材の提供を目的とするものである。
【課題を解決するための手段】
【００１４】
上述の目的を達成すべく本発明における第１の手段は、配管Ｐを挟持する一対の弾性挟持板Ｑ１の上端部相互に連結自在な連結部Ｑ２を備えると共に、各弾性挟持板Ｑ１の下端部に一対のフック部Ｑ３を備えた配管固定具Ｑを装着して固定する支持材１であって、該支持材１は、リップ溝形鋼の形状を成したリップ部２と開口部３とを備え、各リップ部２の長手方向に沿った左右の側板４と各側板４に連続する底板５とで形成され、各リップ部２に近接する各側板４の内側面に仮止凸部７を突設し、リップ部２に配管固定具Ｑを下から係止すると該フック部Ｑ３の外側縁に仮止凸部７が圧接し、該仮止凸部７とリップ部２とで弾性挟持板Ｑ１を揺動自在に保持するように設け、保持された一対の弾性挟持板Ｑ１間に配した配管Ｐを揺動する弾性挟持板Ｑ１で仮止めできるように構成したことにある。
【００１５】
第２の手段において、前記仮止凸部７は、前記リップ部２と前記側板４の内側面との境界部分に沿って帯状に突設され、仮止凸部７が次第に肉薄になるテーパー面７Ａを前記仮止凸部７の下端部に沿って形成している。
【００１６】
第３の手段は、前記底板５の両端部から開口部３方向に立設された端面板６を設け、該端面板６に凹凸形状の連結部６Ａが形成され、該連結部６Ａで複数の前記支持材１が長手方向に連結されるように構成したものである。
【００１７】
第４の手段は、前記底板５に固定ネジを挿通する挿通口５Ａが形成され、該挿通口５Ａに挿入した固定ネジにて前記支持材１を配管固定位置に固定するように構成した。
【００１８】
第５の手段は、前記底板５から開口部３方向に立設された端面板６を設け、該端面板６の前記底板５側に連結用のバンドを挿通する挿通口６Ｂが形成され、該挿通口６Ｂに挿入したバンドで前記支持材１を配管固定位置に固定するように構成している。
【００１９】
第６の手段は、前記リップ部２下面にローレット状の滑止部２Ａを形成し、前記フック部Ｑ３固定時に該滑止部２Ａに接触した状態で固定されるように構成する。
【００２０】
第７の手段は、前記支持材１の両端部に前記リップ部２の端部側を閉塞する端面板６を設け、前記フック部Ｑ３が前記リップ部２に沿って移動すると端面板６に当接するように構成したものである。
【発明の効果】
【００２１】
本発明の請求項１のごとく、リップ部２に配管固定具Ｑを下から係止すると該フック部Ｑ３の外側縁に仮止凸部７が圧接し、該仮止凸部７とリップ部２とで弾性挟持板Ｑ１を揺動自在に保持するように設け、保持された一対の弾性挟持板Ｑ１間に配した配管Ｐを揺動する弾性挟持板Ｑ１で仮止めできるように構成したことにより、配管固定具Ｑをリップ部２に仮止めした状態で配管Ｐを固定することができる。この結果、天井面や壁面等に予め固定した支持材１に、配管を固定する作業が極めて容易になる。
【００２２】
しかも、支持材１を合成樹脂材にて形成すると、耐候性、耐食性に優れ、軽量で持ち運びも容易になる。
【００２３】
請求項２のように、仮止凸部７は、リップ部２と側板４の内側面との境界部分に沿って帯状に突設され、仮止凸部７が次第に肉薄になるテーパー面７Ａを仮止凸部７の下端部に沿って形成しているので、配管Ｐを仮止めした状態での位置調整が容易になる。
【００２４】
すなわち、配管Ｐの上部で連結部Ｑ２を仮止めした状態で、フック部Ｑ３をテーパー面７Ａ側に下げることで、フック部Ｑ３の係止力が解除され弾性挟持板Ｑ１の移動が容易になる。しかも、このテーパー面７Ａに沿ってフック部Ｑ３を上下することで、フック部Ｑ３の仮止め操作や解除操作もスムーズに行える。
【００２５】
請求項３により、端面板６に凹凸形状の連結部６Ａが形成され、該連結部６Ａで複数の支持材１が長手方向に連結されるように構成したことで、配管の数やサイズに合わせて支持材１の延長が可能になる。
【００２６】
請求項４のごとく、底板５に固定ネジを挿通する挿通口５Ａが形成され、該挿通口５Ａに挿入した固定ネジにて前記支持材１を配管固定位置に固定する構成により、天井面や壁面等に直接支持材１を固定することが可能になる。
【００２７】
請求項５のように、端面板６の前記底板５側に連結用のバンドを挿通する挿通口６Ｂが形成され、該挿通口６Ｂに挿入したバンドで前記支持材１を配管固定位置に固定する構成により、柱などに支持材１を固定することができる。
【００２８】
請求項６により、リップ部２下面にローレット状の滑止部２Ａを形成し、前記フック部Ｑ３固定時に該滑止部２Ａに接触した状態で固定されるように構成することで、配管Ｐ固定時の固定力を高めることができる。
【００２９】
請求項７によると、リップ部２の端部側を閉塞する端面板６を設け、フック部Ｑ３がリップ部２に沿って移動すると端面板６に当接するように構成しているので、支持材１の端部が閉じた構成になり、配管Ｐを水平配置する際に、配管固定具Ｑのズレ等による脱落を防止できる。
【図面の簡単な説明】
【００３０】
【図１】本発明の使用状体を示す側面図である。
【図２】本発明に配管を固定した状態を示す側面図である。
【図３】本発明の一実施例を示す斜視図である。
【図４】本発明の一実施例を示す横断面図である。
【図５】本発明に配管を固定した状態を示す側断面図である。
【図６】本発明の一実施例を示す正面図である。
【図７】本発明の一実施例を示す縦断面図である。
【発明を実施するための形態】
【００３１】
本発明は、配管固定具Ｑを固定する支持材として使用する合成樹脂製の支持材１で、配管Ｐの固定部位に予め装着するものである。この支持材１に装着する配管固定具Ｑは、配管Ｐを挟持する一対の弾性挟持板Ｑ１の上端部相互に連結自在な連結部Ｑ２を備えると共に、各弾性挟持板Ｑ１の下端部に一対のフック部Ｑ３を備えた配管固定具Ｑを使用する。
【００３２】
図示の配管固定具Ｑは合成樹脂にて一体成形され、互いに噛み合う複数の歯で構成された係合歯Ｑ４を連結部Ｑ２に設けたものである（図１、図２参照）。また、この配管固定具Ｑは、帯状鋼板で形成された配管固定具Ｑでもよく、上端部相互に連結自在な連結部Ｑ２を備え、各弾性挟持板Ｑ１の下端部に下から係止する一対のフック部Ｑ３を備えた配管固定具Ｑであればよい。
【００３３】
本発明の支持材１は、リップ溝形鋼の形状を成したリップ部２と開口部３とを備えている。更に、各リップ部２の長手方向に沿った左右の側板４と各側板４に連続する底板５と該底板５から開口部３方向に立設された端面板６とで略箱形状を成している（図３参照）。
【００３４】
更に、各リップ部２に近接する各側板４の内側面に仮止凸部７を突設し、この仮止凸部７とリップ部２とで弾性挟持板Ｑ１を揺動自在に保持する（図１参照）。すなわち、開口部３から支持材１内部に弾性挟持板Ｑ１の下端を挿入して回転させ、各フック部Ｑ３を両側のリップ部２に下から係止させると、各フック部Ｑ３の外側縁に仮止凸部７が圧接するように設けている（図５参照）。
【００３５】
仮止凸部７がフック部Ｑ３を圧接すると、仮止凸部７とリップ部２とで弾性挟持板Ｑ１が揺動自在に保持される（図１参照）。図示の仮止凸部７は、リップ部２と側板４の内側面との境界部分に沿って帯状に突設されている（図４、図７参照）。更に、仮止凸部７が次第に肉薄になるテーパー面７Ａを仮止凸部７の下端部に沿って形成している（図４参照）。このテーパー面７Ａは、配管Ｐに仮止めした状態で位置調整を容易にし、またフック部Ｑ３の仮止めや解除も容易にする。尚、支持材１は帯状鋼板で製作した場合でも仮止凸部７はビードにて形成することは可能である。
【００３６】
支持材１に仮止めした配管固定具Ｑで配管Ｐを仮止めするには、仮止凸部７とリップ部２とで保持された一対の弾性挟持板Ｑ１間に配管Ｐを配し、連結部Ｑ２を配管Ｐの上部で仮止めする作業になる。このとき、連結部Ｑ２に係合歯Ｑ４を備えた合成樹脂製の弾性挟持板Ｑ１を使用すると、揺動する弾性挟持板Ｑ１の連結部Ｑ２を軽く閉じる作業のみで簡単に配管Ｐを仮止めすることができる（図１参照）。
【００３７】
また、配管Ｐの仮止め作業は、使用する配管固定具Ｑの構成によって変更されることになる。例えば、帯状鋼板から成る従来型の配管固定具Ｑを使用する場合は、各弾性挟持板の上端を貫通するボルトにネジ止めするナットの締め付け具合を調整して配管Ｐを仮止めする作業になる（図示せず）。
【００３８】
更に、配管固定具Ｑで仮止めした配管Ｐの位置をリップ部２上で調整するには、まず弾性挟持板Ｑ１を支持材１内に少し押し下げてフック部Ｑ３に圧接している仮止凸部７による仮止めを解除する。その状態でリップ部２上の配管Ｐをスライド移動させて位置を調整する。正確な位置に調整した後は、配管固定具Ｑの連結部Ｑ２を仮止め位置から更に強固に連結すると、引き上げられたフック部Ｑ３がリップ部２に係止し、支持材１と配管Ｐとを強固に固定する（図２参照）。
【００３９】
支持材１を構成する端面板６には、凹凸形状の連結部６Ａが形成されている（図３、図６参照）。この連結部６Ａは、複数の支持材１を長手方向に延長する際に、隣接する支持材１の凸部６Ａａと凹部６Ａｂとを嵌合することで支持材１相互を連結する。
【００４０】
一方、底板５には固定ネジ（図示せず）を挿通する挿通口５Ａが形成されている（図３、図７参照）。そして、この挿通口５Ａに挿入した固定ネジにて支持材１を任意の配管固定位置に固定するものである。この固定ネジは、木ネジやビスを使用する他、ボルトとナットの組合せなど、設置状況に応じて選択するものである。
【００４１】
支持材１の端面板６には、底板５側に連結用のバンドを挿通する挿通口６Ｂが形成されている（図６参照）。この挿通口６Ｂにステンレスバンド等のバンドを挿入すると、例えば柱などでも支持材１を固定することが可能になる。
【００４２】
図示例では、支持材１の強度を高めるために、支持材１の内部に補強板８を配している（図３参照）。そのため、バンドを挿通する挿通口６Ｂと同じ高さの挿通孔８Ａをこの補強板８に開口している（図７参照）。これらの挿通口６Ｂや挿通孔８Ａに連結用のバンドを通して支持材１全体を固定するものである。
【００４３】
更に、支持材１の端面板６は、支持材１の両端部に設けたもので、リップ部２の端部側を閉塞する部位である。そのため、配管固定具Ｑのフック部Ｑ３がリップ部２に沿って移動すると、この端面板６に当接するように構成している。図示の端面板６は底板５から上方に延長して形成しているが、リップ部２の端部側を閉塞する形状であれば任意の変更が可能である。
【００４４】
リップ部２の下面にローレット状の滑止部２Ａを形成し、配管Ｐ固定時にフック部Ｑ３が滑止部２Ａに接触した状態になるようにしている（図５参照）。このことで、配管固定具Ｑの固定力を高めることができる。
【００４５】
尚、本発明の各構成の形状等は図示例に限定されるものではなく、本発明の要旨を変更しない範囲での設計変更は自由である。また配管Ｐも電線管に限られるものではなく、他の管類を固定することも可能である。
【符号の説明】
【００４６】
Ｐ  配管
Ｑ  配管固定具
Ｑ１  弾性挟持板
Ｑ２  連結部
Ｑ３  フック部
１  支持材
２  リップ部
３  開口部
４  側板
５  底板
６  端面板
６Ａ  連結部
６Ａａ  凸部
６Ａｂ  凹部
７  仮止凸部
７Ａ  テーパー面
８  補強板
８Ａ  挿通孔
【図１】
2020118171.tif 000003
【図２】
2020118171.tif 000004
【図３】
2020118171.tif 000005
【図４】
2020118171.tif 000006
【図５】
2020118171.tif 000007
【図６】
2020118171.tif 000008
【図７】
2020118171.tif 000009